(57)【要約】【課題】各種電子機器に用いられる開閉装置に関し、別部品を必要とせず、所定の開閉位置でゆるやかに動作する、良好な開閉操作感触のものを提供することを目的とする。【解決手段】外周に突出片２１Ａや２１Ｂが形成された回転体２１を可動体４に固着すると共に、この回転体２１の突出片２１Ａや２１Ｂが当接する係合部２２Ａや２２Ｂを備え、回転に対する摩擦手段が形成された作動体２２を設けることによって、所定の開閉位置で可動体４の付勢力が緩和されるため、別部品を必要とせず、所定の開閉位置でゆるやかに動作する、良好な開閉操作感触の開閉装置を得ることができる。【選択図】  図１
2004340209.tif 000002
【特許請求の範囲】
【請求項１】
側面に固定カムが設けられた固定体と、この固定体に対し回転可能に配置されると共に、上記固定カムとの対向面に可動カムが設けられた可動体と、この可動体または上記固定体を付勢し、上記可動カムと上記固定カムを弾接させるばねからなり、外周または側面に突出片が形成された回転体を上記可動体に固着すると共に、この回転体の突出片が当接する係合部を備え、回転に対する摩擦手段が形成された作動体を設けた開閉装置。
【請求項２】
側面に固定カムが設けられた固定体と、この固定体に対し回転可能に配置されると共に、上記固定カムとの対向面に可動カムが設けられた可動体と、この可動体または上記固定体を付勢し、上記可動カムと上記固定カムを弾接させるばねからなり、外周または側面に突出片が形成された回転体を上記可動体に固着すると共に、この回転体の突出片が摺動する係合部が形成された作動体を設け、上記突出片と上記係合部の間に、回転に対する摩擦手段を形成した開閉装置。
【請求項３】
摩擦手段を潤滑剤で形成した請求項１または２記載の開閉装置。
【請求項４】
回転体に複数の突出片を設けた請求項１または２記載の開閉装置。
【発明の詳細な説明】
【０００１】
【発明の属する技術分野】
本発明は、携帯電話やパーソナルコンピュータ等の、各種電子機器に使用される開閉装置に関するものである。
【０００２】
【従来の技術】
近年、携帯電話やパーソナルコンピュータ等の電子機器の小型化や軽量化が進む中、固定筐体に対し可動筐体が開閉可能に装着された、所謂、折畳み式のものが増えており、これらに用いられる開閉装置においても、良好な開閉操作感触や開閉位置の保持の確実なものが求められている。
【０００３】
このような従来の開閉装置について、図７〜図９を用いて説明する。
【０００４】
なお、これらの図面の内、断面図は固定カムと可動カムの関係を判り易くするため、径方向を拡大して表わしている。
【０００５】
図８は従来の開閉装置の断面図、図９は同分解斜視図であり、同図において、１は左側面開口で略円筒状の固定ケース、２は略円筒状の固定体で、固定ケース１内に固定体２が軸線方向へ移動可能に収納されると共に、固定体２左側面には突出部３Ａ、及びこの突出部３Ａから左右へ延出する二つの傾斜部３Ｂ、３Ｃから形成された固定カム３が設けられている。
【０００６】
また、４は同じく略円筒状の可動体で、固定体２に対して開閉方向へ回転可能に配置されると共に、左端には固定ケース１左側面の開口部から突出する固定部４Ａが形成されると共に、固定カム３との対向面である右側面には可動カム５が設けられている。
【０００７】
そして、固定ケース１右内側面との間にやや撓んだ状態で装着されたコイル状のばね６によって、固定体２が可動体４方向へ付勢され、可動カム５先端が固定カム３の傾斜部３Ｂへ弾接している。
【０００８】
さらに、７は略円柱状の可動軸で、この可動軸７の左端部に可動体４が固着されると共に、右端部が固定体２の中空部やばね６を挿通し、止め輪８によって固定ケース１右外側面へ回転可能に係止されて、開閉装置１０が構成されている。
【０００９】
また、このように構成された開閉装置１０は、例えば、図７の携帯電話の斜視図に示すように、固定ケース１が、上面に複数のキーからなる操作部１２Ａやマイクロフォン等の音声入力部１２Ｂが形成された固定筐体１２へ、可動体４の固定部４Ａが、表面にＬＣＤ等の表示部１３Ａやスピーカ等の音声出力部１３Ｂが形成された可動筐体１３へ各々固着され、開閉装置１０によって固定筐体１２に対して可動筐体１３が開閉可能に軸支されて電子機器が構成される。
【００１０】
以上の構成において、図８に示すように、可動カム５の先端が固定カム３下側の傾斜部３Ｂへ弾接した状態では、可動体４はばね６によって下方向の閉方向へ付勢されているため、固定部４Ａが固着された可動筐体１３は、固定筐体１２に対して閉じた状態で保持されている。
【００１１】
そして、この閉状態から、可動筐体１３を手で開くと、固定部４Ａが可動筐体１３に固着された可動体４が上方向へ回転し、固定体２がばね６を撓めながら右方向へ移動して、可動カム５先端が固定カム３の突出部３Ａを超えて上側の傾斜部３Ｃへ弾接し、可動体４が上方向の開方向へ付勢されるため、可動筐体１３が開いた状態となる。
【００１２】
つまり、可動筐体１３に固着された可動体４を回転して、可動カム５先端を固定カム３の傾斜部３Ｂまたは３Ｃのいずれかへ弾接させ、可動体４をばね６により閉または開方向へ付勢することによって、固定筐体１２に対する可動筐体１３の開閉操作が行われるように構成されているものであった。
【００１３】
なお、この出願の発明に関連する先行技術文献情報としては、例えば、特許文献１が知られている。
【００１４】
【特許文献１】
特開２００２−８９５４２号公報
【００１５】
【発明が解決しようとする課題】
しかしながら、上記従来の開閉装置においては、可動体４がばね６によって常に閉または開方向へ付勢されているため、完全に開く或いは閉じる直前に可動筐体１３をゆるやかに動作させようとした場合、可動体４の付勢力を緩和するためにダンパーや節度部品等の別部品が必要となるという課題があった。
【００１６】
本発明は、このような従来の課題を解決するものであり、他の部品を必要とせず、所定の開閉位置でゆるやかな動作が可能な、良好な開閉操作感触が得られる開閉装置を提供することを目的とする。
【００１７】
【課題を解決するための手段】
上記目的を達成するために本発明は、以下の構成を有するものである。
【００１８】
本発明の請求項１に記載の発明は、外周または側面に突出片が形成された回転体を可動体に固着すると共に、この回転体の突出片が当接する係合部を備え、回転に対する摩擦手段が形成された作動体を設けることによって、所定の開閉位置で可動体の付勢力を緩和するようにして開閉装置を構成したものであり、別部品を必要とせず、所定の開閉位置でゆるやかに動作する、良好な開閉操作感触の開閉装置を得ることができるという作用を有する。
【００１９】
請求項２に記載の発明は、外周または側面に突出片が形成された回転体を可動体に固着すると共に、この回転体の突出片が摺動する係合部が形成された作動体を設け、突出片と係合部の間に、回転に対する摩擦手段を形成して開閉装置を構成したものであり、所定の開閉位置で可動体の付勢力が緩和されるため、別部品を必要とせず、良好な開閉操作感触が得られる開閉装置を得ることができるという作用を有する。
【００２０】
請求項３に記載の発明は、請求項１または２記載の発明において、摩擦手段を潤滑剤で形成したものであり、摩擦手段を粘度の高いグリスやオイル等の潤滑剤で形成することによって、回転体や作動体を高粘度の合成樹脂等で形成して摩擦手段を設ける場合に比べ、開閉装置を安価に形成することができるという作用を有する。
【００２１】
請求項４に記載の発明は、請求項１または２記載の発明において、回転体に複数の突出片を設けたものであり、開及び閉方向いずれの操作においても、所定の位置でゆるやかに動作を行なうことができるという作用を有する。
【００２２】
【発明の実施の形態】
以下、本発明の実施の形態について、図１〜図７を用いて説明する。
【００２３】
なお、従来の技術の項で説明した構成と同一構成の部分には同一符号を付して、詳細な説明を簡略化する。
【００２４】
また、これらの図面の内、断面図は固定カムと可動カムの関係を判り易くするため、径方向を拡大して表わしている。
【００２５】
（実施の形態１）
実施の形態１を用いて、本発明の特に請求項１及び３，４記載の発明について説明する。
【００２６】
図１は本発明の第１の実施の形態による開閉装置の断面図、図２は同分解斜視図であり、同図において、１は左側面開口で略円筒状の固定ケース、２は略円筒状で金属製の固定体で、固定ケース１内に固定体２が軸線方向へ移動可能に収納されると共に、固定体２左側面には突出部３Ａ、及びこの突出部３Ａから左右へ延出する二つの傾斜部３Ｂ，３Ｃから形成された固定カム３が設けられている。
【００２７】
また、４は同じく略円筒状で金属製の可動体で、固定体２に対して開閉方向へ回転可能に配置されると共に、左端には固定ケース１左側面の開口部から突出する固定部４Ａが形成されると共に、固定カム３との対向面である右側面には可動カム５が設けられている。
【００２８】
そして、固定ケース１内にやや撓んだ状態で装着されたコイル状のばね６によって、固定体２が可動体４方向へ付勢され、可動カム５先端が固定カム３の傾斜部３Ｂへ弾接している。
【００２９】
さらに、２０は略円柱状の可動軸で、この可動軸２０の左端部に可動体４が固着されると共に、右端部の固定ケース１右内側面側には、外周に複数の突出片２１Ａと２１Ｂが形成された回転体２１が固着されている。
【００３０】
また、２２は回転体２１右方に回転可能に配置された略リング状の作動体で、左側面に突出する複数の係合部２２Ａと２２Ｂが形成されると共に、作動体２２右側面と固定ケース１右内側面との間には、粘度の高いグリスやオイル等の潤滑剤２３が塗布されて、回転に対する摩擦手段が形成されている。
【００３１】
そして、この回転体２１や作動体２２をカバー２４が覆うと共に、可動軸２０右端部が固定体２の中空部やばね６、カバー２４等を挿通し、止め輪８によって固定ケース１右外側面へ回転可能に係止されて、開閉装置３０が構成されている。
【００３２】
また、このように構成された開閉装置３０は、図７の携帯電話の斜視図に示すように、固定ケース１が、上面に複数のキーからなる操作部１２Ａやマイクロフォン等の音声入力部１２Ｂが形成された固定筐体１２へ、可動体４の固定部４Ａが、表面にＬＣＤ等の表示部１３Ａやスピーカ等の音声出力部１３Ｂが形成された可動筐体１３へ各々固着され、開閉装置３０によって固定筐体１２に対して可動筐体１３が開閉可能に軸支されて電子機器が構成される。
【００３３】
以上の構成において、図１に示すように、可動カム５の先端が固定カム３下側の傾斜部３Ｂへ弾接した状態では、可動体４はばね６によって下方向の閉方向へ付勢されているため、固定部４Ａが固着された可動筐体１３は、固定筐体１２に対して閉じた状態で保持されている。
【００３４】
そして、この閉状態から、可動筐体１３を手で開くと、固定部４Ａが可動筐体１３に固着された可動体４が上方向へ回転し、固定体２がばね６を撓めながら右方向へ移動して、可動カム５先端が固定カム３の突出部３Ａを超えて上側の傾斜部３Ｃへ弾接し、可動体４が上方向の開方向へ付勢されるため、可動筐体１３が開いた状態となる。
【００３５】
つまり、可動筐体１３に固着された可動体４を回転して、可動カム５先端を固定カム３の傾斜部３Ｂまたは３Ｃのいずれかへ弾接させ、可動体４をばね６により閉または開方向へ付勢することによって、固定筐体１２に対する可動筐体１３の開閉操作が行われるように構成されている。
【００３６】
なお、この時、図３の部分断面図に示すように、可動軸２０右端部に固着され可動体４と一体化された回転体２１も、図３（ａ）の閉状態から、可動体４の回転に伴って、図３（ｂ）に示すように、開方向の反時計方向へ回転する。
【００３７】
そして、可動筐体１３が所定角度開いた図３（ｃ）の状態になると、回転体２１の突出片２１Ａが作動体２２の係合部２２Ｂに、突出片２１Ｂが係合部２２Ａに各々当接し、この後は、図３（ｄ）に示すように、突出片２１Ａに係合部２２Ｂを、突出片２１Ｂに係合部２２Ａを押圧された作動体２２も、回転体２１と共に回転する。
【００３８】
但し、この作動体２２と固定ケース１との間には、上述したように粘度の高い潤滑剤２３が塗布されて摩擦手段が形成されているため、可動筐体１３が所定角度開いた図３（ｃ）の状態から完全に開いた図３（ｄ）までの間は、作動体２２の摩擦によって、回転体２１及び可動軸２０を介して可動体４の付勢力が弱められるため、可動筐体１３の動作がゆるやかなものとなる。
【００３９】
さらに、この開状態から、可動筐体１３を閉じた場合には、図３（ｅ）に示すように、回転体２１の突出片２１Ａが作動体２２の係合部２２Ｂから、突出片２１Ｂが係合部２２Ａから各々離れ、回転体２１は閉方向の時計方向へ回転する。
【００４０】
そして、可動筐体１３が完全に閉じる直前の図３（ｆ）の状態になると、今度は回転体２１の突出片２１Ａが作動体２２の係合部２２Ａに、突出片２１Ｂが係合部２２Ｂに各々当接し、この後、可動筐体１３が完全に閉じるまでの間も、可動筐体１３の動作がゆるやかに行なわれるように構成されている。
【００４１】
このように本実施の形態によれば、外周に突出片２１Ａや２１Ｂが形成された回転体２１を可動体４に固着すると共に、この回転体２１の突出片２１Ａや２１Ｂが当接する係合部２２Ａや２２Ｂを備え、回転に対する摩擦手段が形成された作動体２２を設けることによって、所定の開閉位置で可動体４の付勢力が緩和されるため、別部品を必要とせず、所定の開閉位置でゆるやかに動作する、良好な開閉操作感触の開閉装置を得ることができるものである。
【００４２】
そして、摩擦手段を粘度の高いグリスやオイル等の潤滑剤２３で形成することによって、回転体２１や作動体２２を高粘度の合成樹脂等で形成して摩擦手段を設ける場合に比べ、開閉装置を安価に形成することもできる。
【００４３】
さらに、回転体２１に複数の突出片２１Ａと２１Ｂを設け、これらを作動体２２の複数の係合部２２Ａと２２Ｂに当接させることによって、開及び閉方向いずれの操作においても、所定の位置でゆるやかに動作を行なうことが可能となる。
【００４４】
（実施の形態２）
実施の形態２を用いて、本発明の特に請求項２記載の発明について説明する。
【００４５】
なお、実施の形態１の構成と同一構成の部分には同一符号を付して、詳細な説明を省略する。
【００４６】
図４は本発明の第２の実施の形態による開閉装置の断面図、図５は同分解斜視図であり、同図において、左側面に固定カム３が形成された固定体２が、固定ケース１内に軸線方向へ移動可能に収納されていることや、右側面に可動カム５が形成された可動体４が、固定体２に対して開閉方向へ回転可能に配置されていることは、実施の形態１の場合と同様である。
【００４７】
また、やや撓んだ状態のばね６によって、固定体２が可動体４方向へ付勢され、可動カム５先端が固定カム３の傾斜部３Ｂへ弾接していることや、可動軸２０の左端部に可動体４が固着されていることも、実施の形態１の場合と同様であるが、可動軸２０右端部の固定ケース１右内側面側には、外周に突出片２５Ａが形成された回転体２５が固着されている。
【００４８】
さらに、固定ケース１右内側面には、略円筒状の作動体２６が固定ケース１に固着されて設けられると共に、作動体２６内周には軸中心線方向へ突出する係合部２６Ａが形成され、この係合部２６Ａには粘度の高いグリスやオイル等の潤滑剤２３が塗布されて、回転に対する摩擦手段が形成されている。
【００４９】
そして、可動軸２０右端部が固定体２の中空部やばね６、作動体２６等を挿通し、止め輪８によって固定ケース１右外側面へ回転可能に係止されて、開閉装置３０Ａが構成されている。
【００５０】
なお、このように構成された開閉装置３０Ａが、図７の携帯電話の斜視図に示すように、固定ケース１が固定筐体１２へ、可動体４の固定部４Ａが可動筐体１３へ各々固着され、固定筐体１２に対して可動筐体１３が開閉可能に軸支されて電子機器が構成されることは、実施の形態１の場合と同様である。
【００５１】
また、以上の構成において、可動筐体１３に固着された可動体４を回転して、可動カム５先端を固定カム３の傾斜部３Ｂまたは３Ｃのいずれかへ弾接させ、可動体４をばね６により閉または開方向へ付勢することによって、固定筐体１２に対する可動筐体１３の開閉操作が行われるように構成されていることも、実施の形態１の場合と同様であるが、ばね６による可動体４の付勢力を緩和する構成が実施の形態１の場合とは異なる。
【００５２】
つまり、図６の部分断面図に示すように、図６（ａ）の閉状態から可動筐体１３を開くと、可動筐体１３に固着された可動体４の回転に伴って、図６（ｂ）に示すように、回転体２５も開方向の反時計方向へ回転する。
【００５３】
そして、可動筐体１３が所定角度開いた図６（ｃ）の状態になると、回転体２５の突出片２５Ａが作動体２６の係合部２６Ａに当接し、この後は、図６（ｄ）に示すように、突出片２５Ａが係合部２６Ａ上を摺動する。
【００５４】
この時、上述したように、係合部２６Ａには粘度の高い潤滑剤２３が塗布されて摩擦手段が形成されているため、可動筐体１３が所定角度開いた図６（ｃ）の状態から完全に開いた図６（ｄ）までの間は、作動体２６との摩擦によって、回転体２５及び可動軸２０を介して可動体４の付勢力が弱められるため、可動筐体１３の動作がゆるやかに行なわれるように構成されている。
【００５５】
このように本実施の形態によれば、外周に突出片２５Ａが形成された回転体２５を可動体４に固着すると共に、この回転体２５の突出片２５Ａが摺動する係合部２６Ａが形成された作動体２６を設け、突出片２５Ａと係合部２６Ａの間に、回転に対する摩擦手段を形成することによって、所定の開閉位置で可動体４の付勢力が緩和されるため、別部品を必要とせず、良好な開閉操作感触の開閉装置を得ることができるものである。
【００５６】
なお、以上の説明では、回転体２５外周の右側にのみ突出片２５Ａを形成し、可動筐体１３を開く場合にのみ可動体４の付勢力が緩和される構成として説明したが、左側にも突出片を設ければ、閉じる場合にも可動筐体１３の動作をゆるやかに行なうことができる。
【００５７】
また、以上の説明では、回転体２１や２５の外周に、突出片２１Ａや２１Ｂ、２５Ａを形成した構成について説明したが、これらの右または左側面に突出片を形成した構成としても、本発明の実施は可能である。
【００５８】
さらに、やや高価な構成となるが、粘度の高いグリスやオイル等の潤滑剤２３に代えて、回転体２１，２５や作動体２２，２６を高粘度の合成樹脂やゴム等で成形したり、或いは、これらに高粘度のシートを貼付して摩擦手段を形成してもよい。
【００５９】
また、以上の説明では、手で可動筐体１３を開閉操作し、これに固着された可動体４を回転させる構成として説明したが、押釦や、可動カム５と固定カム３の弾接位置を反転させる反転カム等の部品を設け、手による開閉操作に加え、閉状態から押釦の押圧操作によって可動筐体１３を開く、所謂、ワンプッシュオープンとした構成においても、本発明の実施は可能である。
【００６０】
【発明の効果】
以上のように本発明によれば、別部品を必要とせず、良好な開閉操作感触が得られる開閉装置を実現できるという有利な効果が得られる。
【図面の簡単な説明】
【図１】本発明の第１の実施の形態による開閉装置の断面図
【図２】同分解斜視図
【図３】同部分断面図
【図４】本発明の第２の実施の形態による開閉装置の断面図
【図５】同分解斜視図
【図６】同部分断面図
【図７】同電子機器の斜視図
【図８】従来の開閉装置の断面図
【図９】同分解斜視図
【符号の説明】
１  固定ケース
２  固定体
３  固定カム
３Ａ  突出部
３Ｂ，３Ｃ  傾斜部
４  可動体
４Ａ  固定部
５  可動カム
６  ばね
８  止め輪
１２  固定筐体
１２Ａ  操作部
１２Ｂ  音声入力部
１３  可動筐体
１３Ａ  表示部
１３Ｂ  音声出力部
２０  可動軸
２１，２５  回転体
２１Ａ，２１Ｂ，２５Ａ  突出片
２２，２６  作動体
２２Ａ，２２Ｂ，２６Ａ  係合部
２３  潤滑剤
２４  カバー
３０，３０Ａ  開閉装置
【図１】
2004340209.tif 000003
【図２】
2004340209.tif 000004
【図３】
2004340209.tif 000005
【図４】
2004340209.tif 000006
【図５】
2004340209.tif 000007
【図６】
2004340209.tif 000008
【図７】
2004340209.tif 000009
【図８】
2004340209.tif 000010
【図９】
2004340209.tif 000011